【手続補正書】
【提出日】平成15年12月1日(2003.12.1)
【手続補正１】
【補正対象書類名】明細書
【補正対象項目名】特許請求の範囲
【補正方法】変更
【補正の内容】
【特許請求の範囲】
【請求項１】
ユーザ領域と、前記ユーザ領域に欠陥セクタが存在するときに使用される主スペア領域と前記主スペア領域が全て使用されたときに使用される補助スペア領域とからなるスペア領域と、フォーマッティング時に確認された欠陥セクタの情報を表す第１の情報が登録される初期欠陥情報記録部（ＰＤＬ）と、フォーマッティング後の欠陥ブロックの情報を表す第２の情報が登録される２次欠陥情報記録部（ＳＤＬ）とを有する欠陥管理領域（ＤＭＡ）とを備えるとともに、使用された補助スペア領域の位置情報を表す第３の情報が前記２次欠陥情報記録部に記録される光記録媒体において、
前記フォーマッティングの際に前記２次欠陥情報記録部の前記第３の情報がリセットされることを特徴とする光記録媒体。
【請求項２】
ユーザ領域と、前記ユーザ領域に欠陥セクタが存在するときに使用される主スペア領域と、前記主スペア領域とは異なる領域に割り当てられ領域拡張が可能な補助スペア領域と、フォーマッティング時に確認された欠陥セクタの情報を表す第１の情報が登録される初期欠陥情報記録部（ＰＤＬ）と、フォーマッティング後の欠陥ブロックの情報を表す第２の情報が登録される２次欠陥情報記録部（ＳＤＬ）とを有する欠陥管理領域（ＤＭＡ）とを備えるとともに、使用された補助スペア領域の位置情報を表す第３の情報が前記２次欠陥情報記録部に記録される光記録媒体のフォーマット方法において、
前記光記録媒体をフォーマットするフォーマット命令を受け取ったか否かをチェックするチェックステップと、
前記フォーマット命令を受け取ったことが確認された場合は、前記２次欠陥情報記録部に記録されている第３の情報をリセットするとともに、前記使用された補助スペア領域を記録可能なユーザ領域に変換する変換ステップと
を含むことを特徴とする光記録媒体のフォーマット方法。
【請求項３】
ユーザ領域と、前記ユーザ領域に欠陥セクタが存在するときに使用される主スペア領域と、前記主スペア領域とは異なる領域に割り当てられ領域拡張が可能な補助スペア領域と、フォーマッティング時に確認された欠陥セクタの情報を表す第１の情報が登録される初期欠陥情報記録部（ＰＤＬ）と、フォーマッティング後に発生した欠陥ブロックの情報を表す第２の情報が登録される２次欠陥情報記録部（ＳＤＬ）とを有する欠陥管理領域（ＤＭＡ）とを備えるとともに、使用された補助スペア領域の位置情報を表す第３の情報が前記２次欠陥情報記録部に記録される光記録媒体のフォーマット方法において、
前記光記録媒体をフォーマットするフォーマット命令を受け取ったか否かをチェックするチェックステップと、
前記フォーマット命令を受け取ったことが確認された場合は、前記使用された補助スペア領域を記録可能なユーザ領域に変換するとともに、前記２次欠陥情報記録部に記録されている第３の情報をリセットするリセットステップと
を含むことを特徴とする光記録媒体のフォーマット方法。
【請求項４】
前記チェックステップにおいて前記フォーマット命令を受け取ったことが確認された場合は、
前記２次欠陥情報記録部（ＳＤＬ）に第２の情報として登録されている欠陥ブロックの全てのセクタに対して検証を行い、欠陥のあるセクタのみを初期欠陥情報記録部（ＰＤＬ）に登録するステップをさらに含むことを特徴とする請求項２または３に記載の光記録媒体のフォーマット方法。
【請求項５】
前記チェックステップにおいて前記フォーマット命令を受け取ったことが確認された場合は、
前記２次欠陥情報記録部（ＳＤＬ）に第２の情報として登録されている欠陥ブロックの全てのセクタを検証なしでそのまま初期欠陥情報記録部（ＰＤＬ）に登録するステップをさらに含むことを特徴とする請求項２または３に記載の光記録媒体のフォーマット方法。
【請求項６】
ユーザ領域と、前記ユーザ領域に欠陥セクタが存在するときに使用される主スペア領域と前記主スペア領域が全て使用されたときに使用される補助スペア領域とからなるスペア領域と、制作過程で発生した欠陥セクタの情報と最初のフォーマット及び再フォーマットを含む初期化時に確認された欠陥セクタの情報とを表す第１の情報が登録される初期欠陥情報記録部（ＰＤＬ）と、前記初期化後に発生した欠陥ブロックの情報を表す第２の情報が登録される２次欠陥情報記録部（ＳＤＬ）とを有する欠陥管理領域（ＤＭＡ）とを備えるとともに、使用された補助スペア領域の位置情報を表す第３の情報が前記２次欠陥情報記録部に記録される光記録媒体において、
前記再フォーマットの際に前記２次欠陥情報記録部の前記第３の情報がリセットされるとともに、前記再フォーマットが検証を経たフォーマットか否かが判別されて、検証を経たフォーマットと判別される場合は、前記初期欠陥情報記録部及び２次欠陥情報記録部にそれぞれ第１及び第２の情報として登録されている欠陥ブロックのセクタに対して検証が行われ、欠陥のあるセクタの情報のみが第１の情報として初期欠陥情報記録部に登録され、かつ前記使用された補助スペア領域は記録可能なユーザ領域に変換されることを特徴とする光記録媒体。
【請求項７】
ユーザ領域と、前記ユーザ領域に欠陥セクタが存在するときに使用される主スペア領域と、前記主スペア領域とは異なる領域に割り当てられ領域拡張が可能な補助スペア領域と、制作過程で発生した欠陥セクタの情報と最初のフォーマット及び再フォーマットを含む初期化時に確認された欠陥セクタの情報とを表す第１の情報が登録される初期欠陥情報記録部（ＰＤＬ）と、前記初期化後に発生した欠陥ブロックの情報を表す第２の情報が登録される２次欠陥情報記録部（ＳＤＬ）とを有する欠陥管理領域（ＤＭＡ）とを備えるとともに、割り当てられた補助スペア領域の位置情報を表す第３の情報が前記２次欠陥情報記録部に記録される光記録媒体のフォーマット方法において、
前記光記録媒体の再フォーマットを示すフォーマット命令が入力されると、前記２次欠陥情報記録部に記録されている第３の情報をリセットするとともに、前記再フォーマットが検証を経たフォーマットか否かを判別し、検証を経たフォーマットと判別される場合は、前記初期欠陥情報記録部及び２次欠陥情報記録部にそれぞれ第１及び第２の情報として登録されている欠陥ブロックのセクタに対して検証を行い、欠陥のあるセクタの情報のみを第１の情報として初期欠陥情報記録部に登録するリセットステップと、
前記割り当てられた補助スペア領域を記録可能なユーザ領域に変換する変換ステップと
を含むことを特徴とする光記録媒体のフォーマット方法。
【請求項８】
前記リセットステップは
前記再フォーマットが検証を経たフォーマットと判別されない場合は、前記２次欠陥情報記録部（ＳＤＬ）に第２の情報として登録されている欠陥ブロックの全てのセクタを検証なしでそのまま初期欠陥情報記録部（ＰＤＬ）に登録するステップをさらに含むことを特徴とする請求項７に記載の光記録媒体のフォーマット方法。
【請求項９】
前記２次欠陥情報記録部の第３の情報をリセットするステップは
前記２次欠陥情報記録部の第３の情報値を、リセットを認識できる値に変換することを特徴とする請求項２、３、７のいずれかに記載の光記録媒体のフォーマット方法。
【請求項１０】
前記２次欠陥情報記録部の第３の情報をリセットするステップは
前記２次欠陥情報記録部の第３の情報値を全て最下位値（００ｈ）に変換することを特徴とする請求項２、３、７のいずれかに記載の光記録媒体のフォーマット方法。
【請求項１１】
前記２次欠陥情報記録部の第３の情報をリセットするステップは
前記２次欠陥情報記録部の第３の情報値を全て最上位値に変換することを特徴とする請求項２、３、７のいずれかに記載の光記録媒体のフォーマット方法。
【請求項１２】
前記２次欠陥情報記録部の第３の情報をリセットするステップは
前記２次欠陥情報記録部の第３の情報値を特定コード値に変換することを特徴とする請求項２、３、７のいずれかに記載の光記録媒体のフォーマット方法。
【請求項１３】
光記録媒体のフォーマット方法であって、
前記記録媒体は、欠陥領域を可変のサイズを有する利用可能な交替領域と置き換えるための補助スペア領域（ＳＳＡ）と、欠陥領域を管理するための欠陥管理情報を含む欠陥管理領域（ＤＭＡ）とを含み、前記欠陥管理情報は、欠陥ブロックまたは欠陥セクタの位置を表す第１の情報と、補助スペア領域（ＳＳＡ）の位置を表す第２の情報とを含む、光記録媒体のフォーマット方法において、
光記録媒体をフォーマットするフォーマット命令を受け取ったか否かをチェックするステップと、
フォーマット命令を受け取っているならば、補助スペア領域を、記録可能なユーザ領域に変換する一方、第２の情報をリセットして補助スペア領域（ＳＳＡ）が割り当てられていないことを示すステップと
を有することを特徴とする光記録媒体のフォーマット方法。
【請求項１４】
請求項１３記載のフォーマット方法において、
前記光記録媒体は、ＤＶＤ−ＲＡＭであることを特徴とするフォーマット方法。
【請求項１５】
請求項１４記載のフォーマット方法において、
前記第１の情報は、前記欠陥管理領域（ＤＭＡ）を構成する初期欠陥情報記録部（ＰＤＬ）と２次欠陥情報記録部（ＳＤＬ）とに含まれることを特徴とするフォーマット方法。
【請求項１６】
請求項１５記載のフォーマット方法において、
さらに２次欠陥情報記録部（ＳＤＬ）に登録された欠陥ブロックの位置を初期欠陥情報記録部（ＰＤＬ）に変換するステップを有することを特徴とするフォーマット方法。
【請求項１７】
請求項１３記載のフォーマット方法において、
前記補助スペア領域（ＳＳＡ）は、リードアウト領域に近い、固定された位置からリードイン領域方向に向けて拡張されることを特徴とするフォーマット方法。
【請求項１８】
請求項１３記載のフォーマット方法において、
前記第２の情報は、光記録媒体上の前記補助スペア領域の開始アドレスおよび最終アドレスを含むことを特徴とするフォーマット方法。
【請求項１９】
請求項１８記載のフォーマット方法において、
前記開始アドレスは、固定され、リードアウト領域の近くに位置する一方、最終アドレスは、補助スペア領域（ＳＳＡ）のサイズの大小に応じて変化し、リードイン領域方向に移動することを特徴とするフォーマット方法。
【請求項２０】
請求項１８記載のフォーマット方法において、
前記第２の情報の開始アドレスは、補助スペア領域（ＳＳＡ）のサイズの大小に応じて変化する一方、前記第２の情報の最終アドレスは、変化しないことを特徴とするフォーマット方法。
【請求項２１】
請求項１３記載のフォーマット方法において、
フォーマットされると、前記位置の情報は、値００ｈにリセットされて、補助スペア領域が割り当てられていないことを示すことを特徴とするフォーマット方法。
【請求項２２】
可変のサイズを有し、欠陥領域を置き換えるための補助スペア領域（ＳＳＡ）と、欠陥領域を管理するための欠陥管理情報を含む欠陥管理領域（ＤＭＡ）とを含み、
前記欠陥管理情報は、欠陥ブロックまたは欠陥セクタの位置を表す第１の情報と、補助スペア領域（ＳＳＡ）の位置を表す第２の情報とを含み、
前記補助スペア領域は、フォーマットされると、使用可能なユーザ領域に変換される一方、前記第２の情報はリセットされて、補助スペア領域（ＳＳＡ）が割り当てられていないことを示すことを特徴とする記録媒体。
【請求項２３】
請求項２２記載の記録媒体において、
前記記録媒体は、ＤＶＤ−ＲＡＭであることを特徴とする記録媒体。
【請求項２４】
請求項２２記載の記録媒体において、
前記第１の情報は、前記欠陥管理領域（ＤＭＡ）を構成する初期欠陥情報記録部（ＰＤＬ）と２次欠陥情報記録部（ＳＤＬ）とに含まれることを特徴とする記録媒体。
【請求項２５】
請求項２２記載の記録媒体において、
さらに２次欠陥情報記録部（ＳＤＬ）に登録された欠陥ブロックの位置は、初期欠陥情報記録部（ＰＤＬ）に移動することを特徴とする記録媒体。
【請求項２６】
請求項２２記載の記録媒体において、
前記補助スペア領域（ＳＳＡ）は、リードアウト領域に近い、固定された位置からリードイン領域方向に向けて拡張されることを特徴とする記録媒体。
【請求項２７】
請求項２２記載の記録媒体において、
前記第２の情報は、光記録媒体上の前記補助スペア領域の開始アドレスおよび最終アドレスを含むことを特徴とする記録媒体。
【請求項２８】
請求項２７記載の記録媒体において、
前記開始アドレスは、固定され、リードアウト領域の近くに位置する一方、最終アドレスは、補助スペア領域（ＳＳＡ）のサイズの大小に応じて変化し、リードイン領域方向に移動することを特徴とする記録媒体。
【請求項２９】
請求項２７記載の記録媒体において、
前記第２の情報の開始アドレスは、補助スペア領域（ＳＳＡ）のサイズの大小に応じて変化する一方、前記第２の情報の最終アドレスは、変化しないことを特徴とする記録媒体。
【請求項３０】
請求項２２記載の記録媒体において、
フォーマットされると、前記位置の情報は、値００ｈにリセットされて、補助スペア領域が割り当てられていないことを示すことを特徴とする記録媒体。